(57)【要約】      （修正有）【課題】通信線路の切替えに失敗しても通信サービスに影響が及ばないようにした、光線路切替装置及び方法を提供する。【解決手段】光線路切替装置５ａの光中継装置７ａに設けられた制御ユニット７４の制御の下で、光線路切替器６ａにより切替制御信号を出力して現用光ファイバ線路３に曲げ部を形成することで信号光の流通経路を現用光ファイバ線路３から迂回光ファイバ線路４に切り替え、この切替時点から短瞬断の許容時間に設定された監視時間ＴE内に上り通信光Ｌup及び下り通信光Ｌdownの光強度の各測定値がいずれもしきい値以上になったか否かを判定する。そして、各測定値のうちの少なくとも一方がしきい値以上にならなかった場合には、光線路切替器６ａに対し切り戻し制御信号を出力して現用光ファイバ線路３に形成された曲げ部を開放し、現用光ファイバ線路３における通信光の流通を再開する。【選択図】図１
2015226108.tif 000002
【特許請求の範囲】
【請求項１】
通信光の流通線路を、第１の光ファイバ線路から第２の光ファイバ線路に切り替える光線路切替装置であって、
前記第１の光ファイバ線路と第２の光ファイバ線路との切替地点に配置され、通信光の流通経路を前記第１の光ファイバ線路と第２の光ファイバ線路との間で切り替える光線路切替器と、
前記第２の光ファイバ線路を流通する通信光の強度を測定する光強度測定部と、
前記光線路切替器及び前記光強度測定部に接続された制御部と
を具備し、
前記制御部は、
前記光線路切替器を制御して、通信光の流通経路を前記第１の光ファイバ線路から前記第２の光ファイアバ線路に切り替える手段と、
前記通信経路の切替えが行われた時点を起点として監視時間を設定し、前記光強度測定部により得られる、前記第２の光ファイバ線路を流通する通信光の強度の測定値が、前記監視時間内にしきい値以上になったか否かを判定する手段と、
前記通信光の強度の測定値が前記監視時間内にしきい値以上にならなかった場合に、前記光線路切替器を制御して、前記通信光の流通経路を前記第２の光ファイバ線路から前記第１の光ファイアバ線路に切り戻す手段と
を備えることを特徴とする光線路切替装置。
【請求項２】
前記制御部は、前記通信光の強度の測定値が前記監視時間内にしきい値以上にならなかった場合に、切替えが失敗した旨の情報を報知する手段を、さらに備える請求項１記載の光線路切替装置。
【請求項３】
通信光の流通線路を、第１の光ファイバ線路から第２の光ファイバ線路に切り替える光線路切替装置であって、
前記第１の光ファイバ線路と第２の光ファイバ線路との切替地点に配置され、通信光の流通経路を前記第１の光ファイバ線路と第２の光ファイバ線路との間で切り替える光線路切替器と、
前記第２の光ファイバ線路を流通する通信光の強度を測定する光強度測定部と、
前記光強度測定部に接続された制御部と
を具備し、
前記制御部は、
前記光線路切替器により、前記通信光の流通経路が前記第１の光ファイバ線路から前記第２の光ファイアバ線路に切り替えられた場合に、当該切替えが行われた時点を起点として監視時間を設定し、前記光強度測定部により得られる、前記第２の光ファイバ線路を流通する通信光の強度の測定値が、前記監視時間内にしきい値以上になったか否かを判定する手段と、
前記通信光の強度の測定値が前記監視時間内にしきい値以上にならなかった場合に、前記切替えが失敗した旨の情報を報知する手段と
を備えることを特徴とする光線路切替装置。
【請求項４】
前記制御部は、
前記通信光の強度の測定値が前記監視時間内にしきい値以上になった場合に、切替えが成功した旨の情報を報知する手段を、さらに備えることを特徴とする請求項１乃至３のいずれかに記載の光線路切替装置。
【請求項５】
通信光の流通経路を、切替地点に配置された光線路切替器により第１の光ファイバ線路から第２の光ファイバ線路に切り替える動作を、制御部を備えた光線路切替装置により実行する光線路切替方法であって、
前記光線路切替器を制御して、前記通信光の流通経路を前記第１の光ファイバ線路から前記第２の光ファイアバ線路に切り替える工程と、
前記流通経路の切替えが行われた時点を起点として監視時間を設定し、前記第２の光ファイバ線路を流通する通信光の強度を測定して、その測定値が前記監視時間内にしきい値以上になったか否かを判定する工程と、
前記測定値が前記監視時間内にしきい値以上にならなかった場合に、前記光線路切替器を制御して、前記通信光の流通経路を前記第２の光ファイバ線路から前記第１の光ファイアバ線路に切り戻す工程と
を具備することを特徴とする光線路切替方法。
【請求項６】
前記通信光の強度の測定値が前記監視時間内にしきい値以上にならなかった場合に、切替えが失敗した旨の情報を報知する工程を、さらに具備することを特徴とする請求項５記載の光線路切替方法。
【請求項７】
通信光の流通経路を、切替地点に配置された光線路切替器により第１の光ファイバ線路から第２の光ファイバ線路に切り替える動作を、制御部を備えた光線路切替装置により実行する光線路切替方法であって、
前記光線路切替器により、前記通信光の流通経路が前記第１の光ファイバ線路から前記第２の光ファイアバ線路に切り替えられた場合に、当該流通経路の切替えが行われた時点を起点として監視時間を設定し、前記第２の光ファイバ線路を流通する通信光の強度を測定して、その測定値が前記監視時間内にしきい値以上になったか否かを判定する工程と、
前記通信光の強度の測定値が前記監視時間内にしきい値以上にならなかった場合に、前記切替えが失敗した旨の情報を報知する工程と
を具備することを特徴とする光線路切替方法。
【請求項８】
前記通信光の強度の測定値が前記監視時間内にしきい値以上になった場合に、切替えが成功した旨の情報を報知する工程を、さらに具備することを特徴とする請求項５乃至７のいずれかに記載の光線路切替方法。
【発明の詳細な説明】
【技術分野】
【０００１】
この発明は、二重化された光ファイバ線路の切替えを行う光線路切替装置及び方法に関する。
【背景技術】
【０００２】
光ファイバ線路を二重化し、一方の光ファイバ線路の通信に異常が起きた場合に、当該光ファイバ線路を他方の光ファイバ線路に切替えることで通信サービスを維持する技術が知られている（例えば特許文献１を参照）。この技術は、例えば、二重化された光ファイバ線路のうち、一方の光ファイバ線路の信号光の波長を他方の光ファイバ線路とは異なる波長に変換し、試験パルス光により各光ファイバ経路の光路長差を測定して、その測定結果に基づいて光路長が互いに一致するように光路長を制御する。そして、試験パルス光による各光ファイバ線路の光パワーレベル差を測定して、その光パワーレベル差が許容範囲となるように、光ファイバ線路の光パワーレベルを調整することにより実現される。
【０００３】
ところで、上記二重化光伝送システムを実現するには、通信サービスに影響を及ぼさないように線路を切り替える必要がある。この要求に応えるために本発明者等は短瞬断切替方式を提案している。短瞬断切替方式は、光ファイバを破断する限界近くまで曲げることで放射光の結合効率を向上させ、その状態を機械的に瞬時に形成する仕組みを構成することで、光ファイバを切断することなく通信路の切替えを行うものである（例えば非特許文献１を参照）。
【先行技術文献】
【特許文献】
【０００４】
【特許文献１】特開２０１２−２５３４１８号公報
【非特許文献】
【０００５】
【非特許文献１】東裕司、「光ファイバ技術研究最前線」、ＮＴＴ技術ジャーナル、２０１３年２月号４２頁
【発明の概要】
【発明が解決しようとする課題】
【０００６】
ところが、上記短瞬断切替えを行った場合、切替器の不具合や保守員の操作上の不具合等により通信線路を適切に切り替えることができない場合がある。このような場合、通信線路の切替えが要求された時間内に完了せず、その結果通信が長時間に亘り遮断され、通信サービスに深刻な影響が及ぶ。
【０００７】
この発明は上記事情に着目してなされたもので、その目的とするところは、通信線路の切替えに失敗しても通信サービスに影響が及ばないようにした光線路切替装置及び方法を提供することにある。
【課題を解決するための手段】
【０００８】
上記目的を達成するためにこの発明の１つの観点は、以下のような態様を備える。  
（１）通信光の流通線路を、第１の光ファイバ線路から第２の光ファイバ線路に切り替える光線路切替装置であって、前記第１の光ファイバ線路と第２の光ファイバ線路との切替地点に配置され、通信光の流通経路を前記第１の光ファイバ線路と第２の光ファイバ線路との間で切り替える光線路切替器と、前記第２の光ファイバ線路を流通する通信光の強度を測定する光強度測定部と、前記光線路切替器及び前記光強度測定部に接続された制御部とを具備する。そして前記制御部において、前記光線路切替器を制御して、通信光の流通経路を前記第１の光ファイバ線路から前記第２の光ファイアバ線路に切り替えたのち、前記通信経路の切替えが行われた時点を起点として監視時間を設定し、前記光強度測定部により得られる前記第２の光ファイバ線路を流通する通信光の強度の測定値が、前記監視時間内にしきい値以上になったか否かを判定し、前記通信光の強度の測定値が前記監視時間内にしきい値以上にならなかった場合に、前記光線路切替器を制御して、前記通信光の流通経路を前記第２の光ファイバ線路から前記第１の光ファイアバ線路に切り戻すようにしたものである。
【０００９】
（２）（１）において、前記制御部により、前記通信光の強度の測定値が前記監視時間内にしきい値以上にならなかった場合に、切替えが失敗した旨の情報を報知するようにしたものである。
【００１０】
（３）通信光の流通線路を、第１の光ファイバ線路から第２の光ファイバ線路に切り替える光線路切替装置であって、前記第１の光ファイバ線路と第２の光ファイバ線路との切替地点に配置され、通信光の流通経路を前記第１の光ファイバ線路と第２の光ファイバ線路との間で切り替える光線路切替器と、前記第２の光ファイバ線路を流通する通信光の強度を測定する光強度測定部と、前記光強度測定部に接続された制御部とを具備する。そして前記制御部において、前記光線路切替器により前記通信光の流通経路が前記第１の光ファイバ線路から前記第２の光ファイアバ線路に切り替えられた場合に、当該切替えが行われた時点を起点として監視時間を設定し、前記光強度測定部により得られる、前記第２の光ファイバ線路を流通する通信光の強度の測定値が、前記監視時間内にしきい値以上になったか否かを判定し、前記通信光の強度の測定値が前記監視時間内にしきい値以上にならなかった場合に、前記切替えが失敗した旨の情報を報知するようにしたものである。
【００１１】
（４）（１）乃至（３）のいずれかにおいて、前記制御部により、前記通信光の強度の測定値が前記監視時間内にしきい値以上になった場合に、切替えが成功した旨の情報を報知するようにしたものである。
【００１２】
（５）通信光の流通経路を、切替地点に配置された光線路切替器により第１の光ファイバ線路から第２の光ファイバ線路に切り替える動作を、制御部を備えた光線路切替装置により実行する光線路切替方法にあって、先ず前記光線路切替器を制御して前記通信光の流通経路を前記第１の光ファイバ線路から前記第２の光ファイアバ線路に切り替え、前記流通経路の切替えが行われた時点を起点として監視時間を設定し、前記第２の光ファイバ線路を流通する通信光の強度を測定して、その測定値が前記監視時間内にしきい値以上になったか否かを判定し、前記測定値が前記監視時間内にしきい値以上にならなかった場合に、前記光線路切替器を制御して、前記通信光の流通経路を前記第２の光ファイバ線路から前記第１の光ファイアバ線路に切り戻すようにしたものである。
【００１３】
（６）（５）において、前記通信光の強度の測定値が前記監視時間内にしきい値以上にならなかった場合に、切替えが失敗した旨の情報を報知するようにしたものである。
【００１４】
（７）通信光の流通経路を、切替地点に配置された光線路切替器により第１の光ファイバ線路から第２の光ファイバ線路に切り替える動作を、制御部を備えた光線路切替装置により実行する光線路切替方法にあって、前記光線路切替器により前記通信光の流通経路が前記第１の光ファイバ線路から前記第２の光ファイアバ線路に切り替えられた場合に、当該流通経路の切替えが行われた時点を起点として監視時間を設定し、前記第２の光ファイバ線路を流通する通信光の強度を測定して、その測定値が前記監視時間内にしきい値以上になったか否かを判定する。そして、前記通信光の強度の測定値が前記監視時間内にしきい値以上にならなかった場合に、前記切替えが失敗した旨の情報を報知するようにしたものである。
【００１５】
（８）（５）乃至（７）のいずれかにおいて、前記通信光の強度の測定値が前記監視時間内にしきい値以上になった場合に、切替えが成功した旨の情報を報知するようにしたものである。
【発明の効果】
【００１６】
（１）及び（５）によれば、通信光の流通経路が第１の光ファイバ線路から第２の光ファイアバ線路に切り替えられると、その時点から上記第２の光ファイバ線路を流通する通信光の強度の監視が行われ、その測定値が予め設定した監視時間内にしきい値以上にならなかった場合に、通信光の流通経路が上記第２の光ファイバ線路から上記第１の光ファイアバ線路に切り戻される。このため、何らかの事情により第１の光ファイバ線路から第２の光ファイバ線路への切替えが失敗した場合には、通信経路が自動的に第１の光ファイバ線路に切り戻される。したがって、通信経路の切替失敗による通信サービスへの影響が生じないようにするか又は最小限度に抑えることができる。
【００１７】
（２）及び（６）によれば、通信光の強度の測定値が監視時間内にしきい値以上にならなかった場合には、切替えが失敗した旨が報知される。このため、保守員は切替が失敗したことを確認することができる。
【００１８】
（３）及び（７）によれば、第２の光ファイバ線路を流通する通信光強度の測定値が予め設定した監視時間内にしきい値以上にならなかった場合に、切替えが失敗した旨の情報が報知される。このため、保守員は切替えの失敗を迅速に認識することができ、この報知を受けて通信光の流通経路を手動にて第２の光ファイバ線路から第１の光ファイアバ線路に切り戻すことができる。
【００１９】
（４）及び（８）によれば、第２の光ファイバ通信路を流通する通信光の強度が監視時間内にしきい値以上になった場合に、切替えが成功した旨の情報が報知される。このため、保守員は通信経路の切替えが成功したことを迅速かつ確実に認識することが可能となる。
【００２０】
すなわちこの発明の一観点によれば、線路切替が失敗した場合にできる限り早く切替え前の状態に復旧することを可能にした光線路切替装置及び方法を提供することができる。
【図面の簡単な説明】
【００２１】
【図１】この発明の第１の実施形態に係る光線路切替装置の構成を示すブロック図。
【図２】図１に示した光線路切替装置の具体的な設置例を示す図。
【図３】図１に示した光線路切替装置で使用される光線路切替器の構成を示す側面図。
【図４】図１に示した光線路切替装置で使用される光線路切替器の内部構造を示す側断面図。
【図５】図１に示した光線路切替装置の制御ユニットによる制御手順と制御内容を示すフローチャート。
【図６】この発明の第２の実施形態に係る光線路切替装置の制御ユニットによる制御手順と制御内容を示すフローチャート。
【図７】この発明の第３の実施形態に係る光線路切替装置の具体的な設置例を示す図。
【図８】この発明の第４の実施形態に係る光線路切替装置の具体的な設置例を示す図。
【発明を実施するための形態】
【００２２】
以下、図面を参照してこの発明に係わる実施形態を説明する。  
［第１の実施形態］
（構成）
二重化光伝送システムは、局舎内に設けられた局側伝送装置（ＯＬＴ；Optical Line Terminal）と、加入者宅内に設けられた加入者側伝送装置（ＯＮＵ；Optical Network Unit）との間に現用光ファイバ線路を敷設すると共に、当該現用光ファイバ線路と並行して迂回光ファイバ線路を敷設する。そして、現用光ファイバ線路と迂回光ファイバ線路とを、光線路切替装置により切り替えるように構成される。
【００２３】
図１はこの発明の第１の実施形態に係る光線路切替装置の構成を示すブロック図であり、図中３は現用光ファイバ線路、４は迂回光ファイバ線路、５ａは光線路切替装置をそれぞれ示している。局内装置にはＯＬＴ１１と光カプラ１２が設けられる。光カプラ１２は、現用光ファイバ線路３と迂回光ファイバ線路４とを分岐結合する。
【００２４】
これに対し、現用光ファイバ線路１のＯＮＵ２側の任意の位置には光線路切替器６ａが配置される。光線路切替器６ａは側方光入出力機構を用いたもので、現用光ファイバ線路３に対し所定の曲率以上の曲げを与えて通信光を漏洩させ、この曲げ部の側面に迂回光ファイバ線路４のプローブを当接させることで上記漏洩光を入出力させる。この側方光入出力機構の詳細は後述する。
【００２５】
また、迂回光ファイバ線路４には光中継装置７ａが介在配置される。光中継装置７ａは、光送受信モジュール７２，７３と、これらの光送受信モジュール７２，７３間に配置された光中継器７１と、制御ユニット７４を有する。光中継器７１は、迂回光ファイバ線路４を流通する上り通信光Ｌup及び下り通信光Ｌdownを、例えばＥＤＦＡ（erbium doped fiber amplifier）を用いて増幅する。光送受信モジュール７２，７３はそれぞれ迂回光ファイバ線路４を流通する上り通信光Ｌup及び下り通信光Ｌdownの光強度を検出し、その検出値を表す情報を制御ユニット７４に入力する。
【００２６】
図２は第１の実施形態に係る光線路切替装置５ａの具体例を示したもので、架空光クロージャ５１に設けられる場合を示している。同図において、現用光ファイバ線路３は光ファイバ３１と当該光ファイバ３１を支持する支持線３２とからなり、この支持線３２には支持線把持部５２，５３が取着される。そして、この支持線把持部５２，５３には吊り下げワイヤ５４，５５を介して搭載盤５０が固定されている。
【００２７】
搭載盤５０上には、光中継装置７ａと光線路切替器６ａが個別に設置される。光中継装置７ａは、先に述べたように光中継器７１と、２台の光送受信モジュール７２，７３と、制御ユニット７４を備え、このうち光送受信モジュール７３は迂回光ファイバ線路４を介してＯＮＵ２に、光送受信ユニット７３は迂回光ファイバ線路４の光ファイバを介して光線路切替器６ａにそれぞれ接続される。制御ユニット７４は、制御信号線を介して光線路切替器６ａに接続される。
【００２８】
一方、光線路切替器６ａには、異なる色で点灯する２個の表示器６１、６２が設けられている。これらの表示器６１，６２はそれぞれ「切替成功」及び「切替失敗」を表示するために用いられる。また光線路切替器６ａには、自動切替に加えて手動切替を可能にするための切替スイッチ６３及び切り戻しスイッチ６４が設けられている。
【００２９】
図３は上記光線路切替器６ａの構成を示すもので、１０１はサーボホーン、２は迂回光ファイバ線路のプローブ、１００は円柱ブロック、３１は現用光ファイバ、１０２は円筒状の凹部を有する光学ブロック、１０４はサーボモータ、１０５は一対のスライドガイド、１０６はシャフトをそれぞれ示している。
【００３０】
一対のスライドガイド１５は、円柱ブロック１００の中心と光学ブロック１０２の凹部中心点とを一直線上に揃えるために用いられる。シャフト１０６の一方は円柱ブロック１００の中心部に固定され、他方はサーボホーン１０１の先端部に接続されている。サーボホーン１０１の基端部はサーボモータ１０４の駆動軸に接続される。すなわち、サーボモータ１０４、サーボホーン１０１及びシャフト１０６によりクランク機構が構成される。
【００３１】
したがって、現用光ファイバ３１を図３（ａ）に示すように上記円柱ブロック１００と光学ブロック１０２の凹部との間に載置し、この状態でサーボモータ１０４を一方向に回転させると、この回転がサーボホーン１０１を介してシャフト１０６に伝えられ、これにより円柱ブロック１００が図中下方に移動する。その結果、現用光ファイバ３１が円柱ブロック１００と光学ブロック１０２の凹部との間で押圧されて図中（ｂ）に示すように曲げ部が形成される。一方、この状態でサーボモータ１０４を反対方向に回転させると、円柱ブロック１００が図中上方に移動する。その結果、現用光ファイバ３１に対する押圧力は開放され、これにより現用光ファイバ３１は直線状態に復帰する。
【００３２】
図４は上記光線路切替器６ａの内部構成を示す側断面図であり、（ａ）は現用光ファイバ３１を押圧する前の状態を、また（ｂ）は現用光ファイバ３１を押圧して曲げ部を形成した状態をそれぞれ示している。同図に示すように、光学ブロック１０２内には空隙部が形成され、この空隙部に迂回光ファイバ線路４のプローブ部が挿入される。このプローブ部には集光レンズ２１が取着されており、現用光ファイバ３１２の曲げ部から漏洩する通信光は上記集光レンズ２１により集光されて迂回光ファイバ線路４に入射する。また、迂回光ファイバ線路４から出射された通信光は、上記集光レンズ２１で集光されて現用光ファイバ３１の曲げ部に入射する。なお、集光レンズ２１としては屈折率分散型レンズが用いられる。
【００３３】
（動作）
次に、以上のように構成された光線路切替装置の動作を説明する。図５は、その動作手順と動作内容を示すフローチャートである。  
切替の準備として、先ず局舎装置１内において、現用光ファイバ線路３に対し光カプラ１２を介して迂回光ファイバ線路４を分岐接続し、当該迂回光ファイバ線路４を現用光ファイバ線路３と並行して加入者宅内装置まで敷設する。次に、光線路切替装置５ａを現用光ファイバ線路３の切替位置に設置する。設置の仕方は、例えば図２に示したように架空光クロージャ５１を使用する。
【００３４】
この状態で、先ずステップＳＴ１において、保守員が現用光ファイバ３１を光線路切替器６ａにセットする。具体的には、図３（ａ）及び図４（ａ）に示すように円柱ブロック１００と光学ブロック１０２の凹部との間に載置する。
【００３５】
次に保守員は、例えば光中継装置７ａに対し切替コマンドを入力する。この切替コマンドの入力は、例えば保守員が携帯する保守用端末を操作して光中継装置７ａに制御信号を送信するか、又は光中継装置７ａに設けられた制御スイッチを操作することによりなされる。
【００３６】
上記切替コマンドが入力されると、光中継装置７ａの制御ユニット７４は、ステップＳＴ２において以下のように切替制御を実行する。すなわち、先ずステップＳＴ２１により光線路切替器６ａに対し切替制御信号ＣＳを出力する。この切替制御信号ＣＳを受信すると光線路切替器６ａは、図３に示したようにサーボモータ１０４が回転し、これにより円柱ブロック１００が下方に移動して現用光ファイバ３１を光学ブロック１０２の凹部との間に挟み込み、現用光ファイバ３１に曲げ部を形成する。この曲げ部の形成動作は、通信サービスに影響を及ぼさない時間でかつ現用光ファイバ３１に破断等を生じさせない時間、例えば１０μsより短い時間内に行われる。
【００３７】
この曲げ部の形成により、現用光ファイバ３１を流通する通信光が上記曲げ部から漏洩して迂回光ファイバ線路２に入射されて伝播される。また同時に現用光ファイバ３１を流通していた上記通信光は、上記曲げ部の位置で遮断される。すなわち、通信経路が現用光ファイバ線路３から迂回光ファイバ線路２に切り替えられる。
【００３８】
制御ユニット７４は、上記切替えと同時にタイマをスタートさせ、切替作業時間Ｔの測定を開始する。そして、ステップＳＴ２２により光送受信モジュール７２，７３から、迂回光ファイバ線路２を流通する上り通信光Ｌup及び下り通信光Ｌdownの光強度の測定値をそれぞれ取り込み、上記タイマにより計時されている切替作業時間Ｔが予め設定した監視時間ＴE 内に達するまでの間に、上記各測定値がしきい値以上になったか否かを判定する。ここで、上記監視時間ＴE は通信サービスに深刻な影響を与えない最長の時間に設定される。
【００３９】
上記ステップＳＴ２２の判定の結果、監視時間ＴE 内に上り通信光Ｌup及び下り通信光Ｌdownの光強度の各測定値がいずれもしきい値以上になれば、制御ユニット７４はステップＳＴ２３に移行し、光線路切替器６ａに対し「切替成功」を表す表示制御信号を出力する。この結果、光線路切替器６ａでは表示器６１が青色に点灯して「切替成功」が表示される。
【００４０】
これに対し、上記監視時間ＴE 内に上り通信光Ｌup及び下り通信光Ｌdownの光強度の各測定値のうちの少なくとも一方がしきい値以上にならなかったとする。この場合、制御ユニット７４はステップＳＴ２４に移行し、光線路切替器６ａに対し切り戻し制御信号を出力する。この結果、光線路切替器６ａでは図３に示したようにサーボモータ１０４が切替時とは逆方向に回転し、これにより円柱ブロック１００が上方に移動して現用光ファイバ３１の挟み込みを開放する。この開放動作の時間も、通信サービスに影響を及ぼさない時間より短い時間に設定される。かくして、現用光ファイバ３１の曲げ部は直線状態に復帰し、現用光ファイバ３１における通信光の流通が再開され、迂回光ファイバ線路２への流通光の入射は停止する。
【００４１】
またそれと共に制御ユニット７４は、ステップＳＴ２４において光線路切替器６ａに対し「切替失敗」を表す表示制御信号を出力する。この結果、光線路切替器６ａでは表示器６２が赤色に点灯して「切替失敗」が表示される。この場合、保守員は現用光ファイバ３１を光線路切替器６ａにセットし直して、再度光ファイバ線路の切替えを試行する。
【００４２】
（効果）
以上詳述したように第１の実施形態では、光線路切替装置５ａの光中継装置７ａに設けられた制御ユニット７４の制御の下で、光線路切替器６ａにより切替制御信号を出力して現用光ファイバ３１に曲げ部を形成することで信号光の流通経路を現用光ファイバ線路３から迂回光ファイバ線路４に切り替え、この切替時点から短瞬断の許容時間に設定された監視時間ＴE 内に上り通信光Ｌup及び下り通信光Ｌdownの光強度の各測定値がいずれもしきい値以上になったか否かを判定する。そして、各測定値のうちの少なくとも一方がしきい値以上にならなかった場合には、光線路切替器６ａに対し切り戻し制御信号を出力して現用光ファイバ３１に形成された曲げ部を開放し、現用光ファイバ線路３における通信光の流通を再開するようにしている。
【００４３】
したがって、線路の切替時に何らかの不具合で迂回光ファイバ線路４に通信光が流通しないか、又はその光強度が小さい場合には、通信経路が短瞬断の許容時間内に自動的に切替前の状態に切り戻すことができる。このため、通信線路の切替えが失敗した場合でも通信サービスの低下を発生させずに済む。
【００４４】
また、通信線路の切替えが失敗した場合には光線路切替器６ａの表示器６２が赤色で点灯し、一方切替えが成功した場合には光線路切替器６ａの表示器６１が青色で点灯する。このため保守員は切替えの成否を瞬時に確認することができる。
【００４５】
［第２の実施形態］
前記第１の実施形態では、制御ユニット７４の制御により光線路切替器６ａの切替え及び切り戻しを行った。これに対し第２の実施形態は、光線路切替器の切替え及び切り戻し操作は保守員が行うようにし、この保守員による切替え及び切り戻しの操作を光中継装置の制御ユニットが支援するようにしたものである。
【００４６】
図６は、この発明の第２の実施形態における光線路切替装置が備える光中継装置の動作手順と動作内容を示すフローチャートである。なお、光線路切替装置の構成については第１の実施形態と同一なので、ここでも図１乃至図４を用いて説明を行う。
【００４７】
先ずステップＳＴ４において、保守員は現用光ファイバ３１を光線路切替器６ａにセットする。具体的には、図３（ａ）及び図４（ａ）に示すように円柱ブロック１００と光学ブロック１０２の凹部との間に載置する。
【００４８】
次に保守員は、光線路切替器６ａの切替スイッチ６３を押下する。そうすると、光線路切替器６ａは、図３に示したようにサーボモータ１０４が回転し、これにより円柱ブロック１００が下方に移動して現用光ファイバ３１を光学ブロック１０２の凹部との間に挟み込み、現用光ファイバ３１に曲げ部を形成する。この曲げ部の形成動作は、通信サービスに影響を及ぼさない時間でかつ現用光ファイバ３１に破断等を生じさせない時間、例えば１０μsより短い時間内に行われる。この曲げ部の形成により、現用光ファイバ３１を流通する通信光が上記曲げ部から漏洩して迂回光ファイバ線路２に入射されて伝播される。また同時に現用光ファイバ３１を流通していた上記通信光は、上記曲げ部の位置で遮断される。すなわち、通信経路が現用光ファイバ線路３から迂回光ファイバ線路２に切り替えられる。
【００４９】
さて、上記切替操作が行われると光中継装置７ａの制御ユニット７４は、当該切替操作を光線路切替器６ａからの通知信号により検出し、ステップＳＴ５において以下のように切替支援制御を実行する。なお、光線路切替器６ａが切替操作通知信号を出力する機能を持たない場合には、保守員が上記切替操作通知信号に変わる信号を手操作により光中継装置７ａに入力する。
【００５０】
すなわち、先ずステップＳＴ５１により、上記切替えと同時にタイマをスタートさせ、切替作業時間Ｔの測定を開始する。そして、ステップＳＴ５２により光送受信モジュール７２，７３から、迂回光ファイバ線路２を流通する上り通信光Ｌup及び下り通信光Ｌdownの光強度の測定値をそれぞれ取り込み、上記タイマにより計時されている切替作業時間Ｔが予め設定した監視時間ＴE 内に達するまでの間に、上記各測定値がしきい値以上になったか否かを判定する。ここで、上記監視時間ＴE は通信サービスに深刻な影響を与えない最長の時間に設定される。
【００５１】
上記ステップＳＴ５２の判定の結果、監視時間ＴE 内に上り通信光Ｌup及び下り通信光Ｌdownの光強度の各測定値がいずれもしきい値以上になれば、制御ユニット７４はステップＳＴ５３に移行し、光線路切替器６ａに対し「切替成功」を表す表示制御信号を出力する。この結果、光線路切替器６ａでは表示器６１が青色に点灯して「切替成功」が表示される。なお、光中継装置７ａに表示器が設けられている場合には、当該表示器を点灯させるか、又は「切替成功」を表す表示メッセージを上記表示器に表示させるようにしてもよい。
【００５２】
これに対し、上記監視時間ＴE 内に上り通信光Ｌup及び下り通信光Ｌdownの光強度の各測定値のうちの少なくとも一方がしきい値以上にならなかったとする。この場合、制御ユニット７４はステップＳＴ５４に移行し、光線路切替器６ａに対し「切替失敗」を表す表示制御信号（エラーアラーム）を出力する。この結果、光線路切替器６ａでは表示器６２が赤色に点灯して「切替失敗」が表示される。なお、この場合も光中継器７に設けられた表示器を点灯させるか、又は「切替失敗」を表す表示メッセージを上記表示器に表示させるようにしてもよい。また、同時に鳴音を発生させるようにしてもよい。
【００５３】
上記「切替失敗」を表す表示を確認すると、保守員は光線路切替器６ａの切り戻しスイッチ６４を押下する。この結果、光線路切替器６ａでは図３に示したようにサーボモータ１０４が切替時とは逆方向に回転し、これにより円柱ブロック１００が上方に移動して現用光ファイバ３１の挟み込みを開放する。この開放動作の時間も、通信サービスに影響を及ぼさない時間より短い時間に設定される。かくして、現用光ファイバ３１の曲げ部は直線状態に復帰し、現用光ファイバ３１における通信光の流通が再開され、迂回光ファイバ線路２への流通光の入射は停止する。
【００５４】
したがって第２の実施形態によれば、線路の切替えに失敗した場合にその旨が保守員に報知され、保守員が光線路切替器６ａを速やかに操作して光線路切替器６ａを切り戻すことができる。このため、通信線路の切替えが失敗した場合でも通信サービスの低下をできる限り小さく抑えることができる。
【００５５】
［第３の実施形態］
この発明の第３の実施形態は、光線路切替器を光中継装置に一体的に設け、光線路切替器による通信線路の切替動作を含む一連の動作を制御ユニットが統括的に制御するようにしたものである。
【００５６】
図７は、この発明の第３の実施形態に係る光線路切替装置の構成を示すものである。なお、同図において前記図２と同一部分には同一符号を付して詳しい説明は省略する。第３の実施形態の光線路切替装置５ｂも、前記第１の実施形態と同様に架空光クロージャ５１に設けられる。
【００５７】
現用光ファイバ線路３の支持線３２には支持線把持部５２，５３が取着され、この支持線把持部５２，５３には吊り下げワイヤ５４，５５を介して搭載盤５０が固定されている。そして、搭載盤５０上の線路切替地点の直下となる位置に、光線路切替器６ｂを一体的に設けた光中継装置７ｂが配置される。光中継装置７ｂは、光中継器７１と、１台の光送受信モジュール７３と、制御ユニット７４とを備える。このうち光送受信モジュール７３は、迂回光ファイバ線路４を介してＯＮＵ２に接続される。制御ユニット７４は、光中継装置７ｂ内で制御信号線を介して光線路切替器６ｂに接続される。
【００５８】
また、光中継装置７ｂには、異なる色で点灯する２個の表示器６１、６２が設けられている。これらの表示器６１，６２はそれぞれ「切替成功」及び「切替失敗」を表示するために用いられる。また光中継装置７ｂには、自動切替に加えて手動切替を可能にするための切替スイッチ６３及び切り戻しスイッチ６４が設けられている。
【００５９】
このような構成であるから、通信線路の切替えを行う場合、保守員は光中継装置７ｂの光線路切替器６ｂに現用光ファイバ３１をセットした後、光中継装置７ｂに対し切替制御コマンドを入力する。そうすると、光中継装置７の制御ユニット７４の制御の下、光線路切替器６ｂが動作して円柱ブロック１００と光学ブロック１０２の凹部との間に現用光ファイバ３１を挟み込み、これにより現用光ファイバ３１に曲げ部を形成する。この曲げ部の形成動作は、通信サービスに影響を及ぼさない時間でかつ現用光ファイバ３１に破断等を生じさせない時間、例えば１０μsより短い時間内に行われる。
【００６０】
この曲げ部の形成により、現用光ファイバ３１を流通する通信光が上記曲げ部から漏洩して迂回光ファイバ線路２に入射されて伝播される。また同時に現用光ファイバ３１を流通していた上記通信光は、上記曲げ部の位置で遮断される。すなわち、通信経路が現用光ファイバ線路３から迂回光ファイバ線路２に切り替えられる。
【００６１】
次に制御ユニット７４は、上記切替えと同時にタイマをスタートさせ、切替作業時間Ｔの測定を開始する。そして、光送受信モジュール７３から、迂回光ファイバ線路２を流通する上り通信光Ｌup及び下り通信光Ｌdownの光強度の測定値を取り込み、上記タイマにより計時されている切替作業時間Ｔが予め設定した監視時間ＴE 内に達するまでの間に、上記各測定値がしきい値以上になったか否かを判定する。そして、この判定の結果、監視時間ＴE 内に上り通信光Ｌup及び下り通信光Ｌdownの光強度の各測定値がいずれもしきい値以上になれば、制御ユニット７４は表示器６１を点灯させて「切替成功」を保守員に報知する。
【００６２】
これに対し、上記監視時間ＴE 内に上り通信光Ｌup及び下り通信光Ｌdownの光強度の各測定値のうちの少なくとも一方がしきい値以上にならなかったとする。この場合、制御ユニット７４は光線路切替器６ｂを制御して現用光ファイバ３１の挟み込みを開放する。かくして、現用光ファイバ３１の曲げ部は直線状態に復帰し、現用光ファイバ３１における通信光の流通が再開され、迂回光ファイバ線路２への流通光の入射は停止する。
【００６３】
またそれと共に制御ユニット７４は、表示器６２を点灯させて「切替失敗」を保守員に報知する。この場合保守員は、現用光ファイバ３１を光線路切替器６ｂにセットし直して、再度光ファイバ線路の切替えを試行する。
【００６４】
したがって第３の実施形態によれば、保守員は光線路切替器６ａが一体化された光中継装置７ｂを現場に持参し設置するだけで、切替作業を行うことが可能となる。このため、第１の実施形態のように光中継装置７ａと光線路切替器６ａとを別々に設置し、両者間を接続する作業は不要となるので、その分作業性を高めることができる。なお、通信線路の切替えが失敗した場合でも、通信経路を短瞬断の許容時間内に自動的に切替前の状態に切り戻すことができ、これにより通信サービスの低下を発生させずに済む効果は、本実施形態においても第１の実施形態と同様に得ることができる。
【００６５】
［第４の実施形態］
この発明の第４の実施形態は、光中継装置をバケット車で用いる場合を例示したもので、光中継装置をバケット壁に固定するようにしたものである。  
図８はこの発明の第４の実施形態に係る光線路切替装置の構成を示すものである。同図において、光中継装置７ｃは、筐体８１内に光中継器７１、線路切替のための制御ユニット７４及び光中継器としてのＥＤＦＡ（erbium doped fiber amplifier）を内蔵している。また、筐体８１の上面部には、ＯＬＴ側コネクタ８７と、ＯＮＵ側コネクタ８８と、中継器外部出力端子８９が設けられ、ＯＬＴ側コネクタ８７には迂回光ファイバ線路４が接続され、またＯＮＵ側コネクタ８８及び中継器外部出力端子８９には信号ケーブルを介して光線路切替器６ｃが接続される。
【００６６】
光線路切替器６ｃは、第１乃至第３の実施形態と同様に側方光入出力機構からなり、サーボモータ１０４を動力源として慣用光ファイバの挟み込み動作を行う機能を有している。また光線路切替器６ｃは、切替スイッチ６１、切り戻しスイッチ６２及び表示器６３，６４も備えている。
【００６７】
また光中継装置７ｃの筐体８１には、その下面両端部に一対の伸縮支柱８２，８３が取り付けられ、上面両端部には一対に固定取手８４，８５が固定されている。これらの伸縮支柱８２，８３及び固定取手８４，８５は、光中継装置７ｃをバケット壁９０に沿わせて設置するために用いられる。  
なお、８６は電源スイッチの表示器、９１はＥＤＦＡ制御端子、９２は中継器表示器を示している。
【００６８】
このような構成であるから、光線路切替器６ｃを現用光ファイバ線路３の所望の位置に取り付け、当該光線路切替器６ｃを光中継装置７ｃに接続することで、光中継装置７ｃをバケット車内に設置した状態で、当該光中継装置７ｃの制御ユニットの制御のもと光ファイバ線路の切替えを行うことが可能となる。なお、通信線路の切替えが失敗した場合でも、通信経路を短瞬断の許容時間内に自動的に切替前の状態に切り戻すことができ、これにより通信サービスの低下を発生させずに済む効果は、本実施形態においても同様に得ることができる。
【００６９】
［その他の実施形態］
なお、この発明は上記実施形態に限定されるものではない。例えば、前記各実施形態では、切替えの成功及び失敗を表示器６１，６２の点灯により保守員に報知するようにした。これに加え、光送受信モジュールにより得られる、迂回光ファイバ線路２を流通する上り及び下りの各通信光の光強度の測定結果に基づいて、上り及び下りの各通信光のいずれがしきい値未満であるのかを表示するようにしてもよく、さらにはその光強度の測定値を併せて表示するようにしてもよい。このようにすると、保守員は切替失敗の原因を迅速かつ確実に突き止めることが可能となる。
【００７０】
また、第２の実施形態で述べた光線路切替器の手動切替方式は、第３及び第４の実施形態にも適用することができる。その他、光線路切替装置の構成、制御ユニットによる切替動作の制御手順と制御内容、同時に切り替える光ファイバの心線数等についても、この発明の要旨を逸脱しない範囲で種々変形して実施可能である。
【００７１】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【符号の説明】
【００７２】
１…局内装置、２…ＯＮＵ、３…現用光ファイバ線路、４…迂回光ファイバ線路、５ａ，５ｂ，５ｃ…光線路切替装置、６ａ，６ｂ，６ｃ…光線路切替器、７ａ，７ｂ，７ｃ…光中継装置、１１…ＯＬＴ、１２…光カプラ、２１…集光レンズ、３１…現用光ファイバ、３２…支持線、５０…搭載盤、５１…架空光クロージャ、５２，５３…支持線把持部、５４，５５…吊り下げワイヤ、６１，６２…表示器、６３…切替スイッチ、６４…切り戻しスイッチ、７１…光中継器、７２，７３…光送受信モジュール、７４…制御ユニット、１００…円柱ブロック、１０１…サーボホーン、１０２…光学ブロック、１０４…サーボモータ、１０５…スライドガイド、１０６…シャフト。
【図１】
2015226108.tif 000003
【図２】
2015226108.tif 000004
【図３】
2015226108.tif 000005
【図５】
2015226108.tif 000006
【図６】
2015226108.tif 000007
【図７】
2015226108.tif 000008
【図８】
2015226108.tif 000009
【図４】
2015226108.tif 000010